(57)【特許請求の範囲】
【請求項１】
複数の立体駒と、立体駒用フレームを備えた組物であって、
各立体駒は、
文字、数字、記号又は絵文字が記された頂面を有する上方突出部と、
前記文字、数字、記号又は絵文字に対応する文字、数字、記号又は絵文字が記された頂面を有する下方突出部と、
前記上方突出部と前記下方突出部の間に設けられ、前記上方突出部及び前記下方突出部よりも側方に突出する側方突出部と、
を備え、
前記上方突出部、前記下方突出部及び前記側方突出部は、それぞれ、これらに共通な中心軸を持つ正四角柱の形状を有し、
前記上方突出部及び前記下方突出部が、それぞれ、２本の指の指先近傍の腹で両側から挟みうる程度の高さを有する側面が形成されており、
前記中心軸に垂直な方向における前記上方突出部及び前記下方突出部の断面形状が同じであり、
少なくとも前記上方突出部及び前記下方突出部の材料が同一であり、
前記側方突出部から前記上方突出部及び前記下方突出部の両頂面までの高さが等しく、
各立体駒は、水平台の上に置いて前記上方突出部の頂面を上にして立たせた姿勢、前記水平台の上に置いて前記下方突出部の頂面を上にして立たせた姿勢及び前記水平台の上に置いて前記側方突出部の何れかの側方面を上にして横に寝かせた姿勢の何れも安定して維持できる全体形状を有し、
前記上方突出部に記された文字、数字、記号又は絵文字の色と前記下方突出部に記された文字、数字、記号又は絵文字の色と文字、数字、記号又は絵文字が記されない部分の色は相互に異なり、
前記上方突出部の頂面に記された前記文字、数字、記号又は絵文字の上下方向と平行であり、且つ、前記中心軸に対して垂直な自転軸について前記立体駒を１８０度自転させた場合、自転前における前記上方突出部の頂面に記された前記文字、数字、記号又は絵文字の上下方向と自転後における前記下方突出部の頂面に記された前記文字、数字、記号又は絵文字の上下方向が同一になるように、前記上方突出部の頂面に記された前記文字、数字、記号又は絵文字の向きと、前記上方突出部の頂面に記された前記文字、数字、記号又は絵文字の向きが相対的に調整されており、
前記立体駒用フレームは、
複数の立体駒の前記上方突出部又は前記下方突出部を貫通させて差し込むことが可能な縦横に配列された中空状の複数の四角形の穴を持ち、平面形状が正方形又は長方形である板状の盤と、
前記盤を支える四枚の板状の脚部と、
を備え、
各板状の脚部が前記盤に対して直角の角度をもって前記盤の各辺の下方に接続され、
各々の前記四角形の穴の寸法は、前記立体駒の正四角柱の形状を有する前記上方突出部又は前記下方突出部が所定の隙間をもって前記四角形の穴を貫通するように設定され、
相互に隣接する前記四角形の穴の間隔は、これらの四角形の穴にそれぞれ正四角柱の形状を有する前記上方突出部又は前記下方突出部が貫通して差し込まれた２つの前記立体駒の前記側方突出部同士が所定の間隔をもって離間するように設定され、
前記立体駒用フレームは、前記複数の立体駒を置くことが可能な平面形状が長方形の置き台を更に備え、
一枚の前記板状の脚部の下辺と前記置き台の一辺とが接続され、
前記板状の盤と前記置き台が、上方から見て１つの長方形を形成するように隣接して一体化しており、
相互に隣接する前記穴にそれぞれ前記上方突出部又は前記下方突出部が貫通して差し込まれた２つの前記立体駒のそれぞれの反対側の突出部である前記下方突出部又は前記上方突出部の間に人の指を挿入することができるように、前記立体駒及び前記立体駒用フレームの寸法が調整されていることを特徴とする組物。
【発明の詳細な説明】
【技術分野】
【０００１】
本発明は、複数の立体駒と、立体駒用フレームを備えた組物に関する。
【背景技術】
【０００２】
脳卒中などにより麻痺してしまった体の部位の運動機能を回復させるためにリハビリテーションが実施されている。
【０００３】
リハビリテーションとしては、理学療法士の助力により実施される基本的な動作能力（起き上がる、座る、立つ、歩く）の向上や獲得を図ったもの、作業療法士の助力により行われる応用動作（ご飯を食べる、トイレに行く、着替えをする、歯を磨く、字を書く）の向上や獲得を図ったもの、言語聴覚士の助力により行われる言語機能（聞く、話す、読む、書く）の回復を図ったものなどがある。
【先行技術文献】
【特許文献】
【０００４】
【特許文献１】特開２０１２−１００７３９号公報
【発明の概要】
【発明が解決しようとする課題】
【０００５】
しかし、通常のリハビリテーションにより麻痺側上肢の実用性を確保できるようになるのは、リハビリテーション対象者の３割から４割程度しかないといわれている。そこで、その割合を向上させることが望まれている。
【０００６】
また、通常のリハビリテーションは器具を使うとしても使わないとしても単調なものであるため、リハビリテーション対象者が回復の意欲を喪失してしまう可能性もある。
【０００７】
更に、麻痺側上肢の実用性の確保を目的としたリハビリテーションは、精神的活動をそれほど必要とするものではないので、それにより精神的活動の向上を図ることをあまり期待することができない。
【０００８】
なお、特許文献１には、マス目の底部中央付近に平行保持部を設け、マス目に保持された駒の一方の側縁部を上から押し下げると反対側の側縁部がマス目から上昇するので、利用者がその部分を摘まんで駒をマス目から取り出すことが可能になるパズル用具が開示されている。
【０００９】
本発明は、上記の点に鑑みてなされたものであり、脳卒中などを患わってしまった方が楽しく継続的にしかも効率的にリハビリテーションをすることを可能にする複数の立体駒と、立体駒用フレームを備えた組物を提供することを目的とする。
【課題を解決するための手段】
【００１０】
本発明によれば、
複数の立体駒と、立体駒用フレームを備えた組物であって、
各立体駒は、
文字、数字、記号又は絵文字が記された頂面を有する上方突出部と、
前記文字、数字、記号又は絵文字に対応する文字、数字、記号又は絵文字が記された頂面を有する下方突出部と、
前記上方突出部と前記下方突出部の間に設けられ、前記上方突出部及び前記下方突出部よりも側方に突出する側方突出部と、
を備え、
前記上方突出部、前記下方突出部及び前記側方突出部は、それぞれ、これらに共通な中心軸を持つ正四角柱の形状を有し、
前記上方突出部及び前記下方突出部が、それぞれ、２本の指の指先近傍の腹で両側から挟みうる程度の高さを有する側面が形成されており、
前記中心軸に垂直な方向における前記上方突出部及び前記下方突出部の断面形状が同じであり、
少なくとも前記上方突出部及び前記下方突出部の材料が同一であり、
前記側方突出部から前記上方突出部及び前記下方突出部の両頂面までの高さが等しく、
各立体駒は、水平台の上に置いて前記上方突出部の頂面を上にして立たせた姿勢、前記水平台の上に置いて前記下方突出部の頂面を上にして立たせた姿勢及び前記水平台の上に置いて前記側方突出部の何れかの側方面を上にして横に寝かせた姿勢の何れも安定して維持できる全体形状を有し、
前記上方突出部に記された文字、数字、記号又は絵文字の色と前記下方突出部に記された文字、数字、記号又は絵文字の色と文字、数字、記号又は絵文字が記されない部分の色は相互に異なり、
前記上方突出部の頂面に記された前記文字、数字、記号又は絵文字の上下方向と平行であり、且つ、前記中心軸に対して垂直な自転軸について前記立体駒を１８０度自転させた場合、自転前における前記上方突出部の頂面に記された前記文字、数字、記号又は絵文字の上下方向と自転後における前記下方突出部の頂面に記された前記文字、数字、記号又は絵文字の上下方向が同一になるように、前記上方突出部の頂面に記された前記文字、数字、記号又は絵文字の向きと、前記上方突出部の頂面に記された前記文字、数字、記号又は絵文字の向きが相対的に調整されており、
前記立体駒用フレームは、
複数の立体駒の前記上方突出部又は前記下方突出部を貫通させて差し込むことが可能な縦横に配列された中空状の複数の四角形の穴を持ち、平面形状が正方形又は長方形である板状の盤と、
前記盤を支える四枚の板状の脚部と、
を備え、
各板状の脚部が前記盤に対して直角の角度をもって前記盤の各辺の下方に接続され、
各々の前記四角形の穴の寸法は、前記立体駒の正四角柱の形状を有する前記上方突出部又は前記下方突出部が所定の隙間をもって前記四角形の穴を貫通するように設定され、
相互に隣接する前記四角形の穴の間隔は、これらの四角形の穴にそれぞれ正四角柱の形状を有する前記上方突出部又は前記下方突出部が貫通して差し込まれた２つの前記立体駒の前記側方突出部同士が所定の間隔をもって離間するように設定され、
前記立体駒用フレームは、前記複数の立体駒を置くことが可能な平面形状が長方形の置き台を更に備え、
一枚の前記板状の脚部の下辺と前記置き台の一辺とが接続され、
前記板状の盤と前記置き台が、上方から見て１つの長方形を形成するように隣接して一体化しており、
相互に隣接する前記穴にそれぞれ前記上方突出部又は前記下方突出部が貫通して差し込まれた２つの前記立体駒のそれぞれの反対側の突出部である前記下方突出部又は前記上方突出部の間に人の指を挿入することができるように、前記立体駒及び前記立体駒用フレームの寸法が調整されていることを特徴とする組物が提供される。
【発明の効果】
【００１２】
本発明によれば、脳卒中などを患わってしまった方が楽しく継続的にしかも効率的にリハビリテーションをすることが可能になる。
【図面の簡単な説明】
【００１３】
【図１】本発明の実施の形態によるナンバープレース用セットの全体の概要を示す斜視図である。
【図２】本発明の実施の形態によるナンバープレース用フレームを示す正面図である。
【図３】本発明の実施の形態によるナンバープレース用フレームを示す背面図である。
【図４】本発明の実施の形態によるナンバープレース用フレームを示す前方側面図である。
【図５】本発明の実施の形態によるナンバープレース用フレームを示す後方側面図である。
【図６】本発明の実施の形態によるナンバープレース用フレームを示す左方側面図である。
【図７】本発明の実施の形態によるナンバープレース用フレームを示す右方側面図である。
【図８】本発明の実施の形態によるナンバープレース用フレームを示す斜視図である。
【図９】本発明の実施の形態によるナンバープレース用駒を示す斜視図である。
【図１０】本発明の実施の形態によるナンバープレース用駒を示す正面図である。
【図１１】本発明の実施の形態によるナンバープレース用駒を示す背面図である。
【図１２】本発明の実施の形態によるナンバープレース用駒を示す前方側面図、後方側面図、左方側面図又は右方側面図である。
【図１３】本発明の実施の形態による複数のナンバープレース用駒を示す正面図である。
【図１４】本発明の実施の形態による複数のナンバープレース用駒を示す背面図である。
【図１５】本発明の実施の形態によるナンバープレース用駒及び格子を示す断面図である。
【図１６】本発明の実施の形態においてナンバープレース用盤に１つのナンバープレース用駒が差し込まれた状態を示す斜視図である。
【図１７】本発明の実施の形態においてナンバープレース用盤に複数のナンバープレース用駒が差し込まれた状態を示す斜視図である。
【図１８】本発明の実施の形態においてナンバープレース用盤の穴に対してナンバープレース用駒を抜き差しするときの様子を示す斜視図である。
【図１９】本発明の実施の形態によるナンバープレース用駒を指により自転させるときの様子を示す斜視図である。
【発明を実施するための形態】
【００１４】
以下、図面を参照して本発明を実施するための形態について詳細に説明する。
【００１５】
［第１の実施の形態］
図１及び図２を参照すると、本発明の実施の形態による立体ナンバープレース用セット１０１は、立体ナンバープレース用ケース（以下、単に「ケース」ということがある。）１１１、これに挿入された立体ナンバープレース用フレーム（以下、単に「フレーム」ということがある。）１２１、これの一部である立体ナンバープレース用盤（以下、単に「盤」ということがある。）１２３に設けられた合計で８１個のマス目状の各穴１２３ａに挿入されることが可能な８１個のナンバープレース用駒（以下、単に「駒」ということがある。）１３１を含む。
【００１６】
図２を参照すると、フレーム１２１は、盤１２３と置き台１２５を含み、これらがフレーム１２１において一体化されている。
【００１７】
盤１２３には、合計で８１個の穴１２３ａが縦９×横９の正方格子状に設けられている。また、８１個の駒１３１としては、１乃至９の番号が付された駒がそれぞれ９個ずつある。つまり、数字の１が付された駒１３１が９つあり、数字の２が付された駒１３１が９つあり、以下同様である。
【００１８】
従って、利用者は、ナンバープレースのルールに従って、駒１３１を穴１２３ａに差し込んだり、別の穴１２３ａに差し換えたり、穴１２３ａから抜き出すことにより、ナンバープレースをプレイすることができる。
【００１９】
なお、本実施形態による立体ナンバープレース用盤１２３とナンバープレース用駒１３１を用いたナンバープレースとは、
・どのタテ一列の穴１２３ａにも１〜９の数字の駒１３１を１個ずつ配置する。
・どのヨコ一列の穴１２３ａにも１〜９の数字の駒１３１を１個ずつ配置する。
・区切られた縦３×横３のどのグループにも１〜９の数字の駒１３１を１個ずつ配置する。
というルールに従って、合計で８１個の穴１２３ａに上述したような８１個の駒１３１を配置するゲームのことである。
【００２０】
なお、ある程度の数の駒１３１が配置されている状態を初期状態にしてもよい。
【００２１】
置き台１２５には、穴１２３ａに挿入していない駒１３１を載置することができる。
【００２２】
次に、立体ナンバープレース用セット１０１に含まれる各構成物について、より詳細な説明をする。
【００２３】
図２乃至図９を参照すると、フレーム１２１においては、上述したように盤１２３及び置き台１２５が一体化するように構成されている。フレーム１２１は、盤１２３の周辺に設けられた前側脚部１２３ｄ、後側脚部１２３ｅ、左側脚部１２３ｆ及び右側脚部１２３ｇも含む。これらの４つの脚部１２３ｄ、１２３ｅ、１２３ｆ、１２３ｇにより盤１２３は中空に浮くように支えられる。
【００２４】
盤１２３には、縦９×横９の正方格子状に並べられた合計で８１個の正方形の穴１２３ａが設けられている。隣接する穴１２３ａ同士の間には、格子１２３ｂが設けられる。
【００２５】
縦３×横３の合計で９個の穴１２３ａが１つのグループを構成する。各グループの周辺部にはグループ境界線１２３ｃが描かれている。従って、縦のグループ境界線が４本、横のグループ境界線が４本描かれていて、これらの合計８本の境界線が縦３×横３に並べられたグループの境界を示すようになる。
【００２６】
置き台１２５は、これの左辺と右側脚部１２３ｇの下辺が連続するように設けられている。
【００２７】
次に、図９乃至図１２を参照すると、駒１３１は、上方突出部１３１ａ、下方突出部１３１ｂ及びこれらに上下から挟まれた側方突出部１３１ｃを含む。
【００２８】
上方突出部１３１ａ、下方突出部１３１ｂ及び側方突出部１３１ｃは、それぞれ、これらに共通な中心軸を持つ正四角柱の形状を有する。
【００２９】
上方突出部１３１ａの頂面である上面１３１ｄには上面数字１４１が記されている。下方突出部１３１ｂの頂面である下面１３１ｅには下面数字１４３が記されている。上面数字１４１と下面数字１４３とは、視覚的にこれらの区別が付くように記されている。例えば、これらの数字１４１、１４３は、色が異なるように記されている。また、これらの数字１４１、１４３の色は、駒１３１の表面の色と異なるが、数字１４１、１４３を利用者が認識できる限りにおいて、そうではなくてもよい。
【００３０】
例えば、駒１３１の表面の色は黄色であり、上面数字１４１の色は黒であり、下面数字１４３の色は赤であるが、他の三色の組合わせであってもよい。この場合、例えば、黒の上面数字１４１が上を向くようにして駒１３１を穴１２３ａに差し込むことにより初期状態を形成し、ナンバープレースをプレイする者は、赤の上面数字１４１が上を向くようにして駒１３１を穴１２３ａに差し込む。
【００３１】
上方突出部１３１ａと下方突出部１３１ｂは、高さ及び突出方向に垂直な正方形の断面の辺の長さにおいて同じである。
【００３２】
上方突出部１３１ａ及び下方突出部１３１ｂの正方形の断面の辺の長さと高さの比率は、１００：５０乃至１００：９０程度であるが、この限りではない。
【００３３】
上方突出部１３１ａ及び下方突出部１３１ｂの高さと側方突出部の高さの比率は、１００：５０乃至１００：７０程度であるが、この限りではない。
【００３４】
側方突出部１３１ｃの正方形の断面の辺と、上方突出部１３１ａ及び下方突出部１３１ｂの正方形の断面の辺の長さの比率は、１０５：１００乃至１３０：１００程度であるが、この限りではない。
【００３５】
図１３に示すように、上面１３１ｄには１乃至９の上面数字１４１が、例えば、印刷技術により記される。また、図１４に示すように、下面１３１ｅには、１乃至９の下面数字１４３が、例えば、印刷技術により記される。同一の駒１３１に付される上面数字１４１の数値と下面数字１４３の数値は同一である。また、例えば、上面１３１ｄを正視できる視点から見た上面数字１４１が正立しているならば、その視点を上面１３１ｄの裏側にある下面１３１ｅを正視できる位置まで裏側に回り込むように移動させてから見た下面数字１４３も成立しているように、上面数字１４１と下面数字１４３の向きが相対的に調整されている。
【００３６】
図１３及び図１４は、合計で８１個の駒１３１のうち記された数字が重複しない全ての駒である９つの駒を並べて示している。図１３及び図１４に示す９つの駒を９セット用意することにより合計で８１個の駒１３１が揃う。
【００３７】
次に、図１５に示すように、駒１３１と穴１２３ａと格子１２３ｂとグループ境界線１２３ｃの寸法が調整されている。
【００３８】
つまり、まず、穴１２３ａに上方突出部１３１ａも下方突出部１３１ｂも僅かな隙間をもって差し込むことができるように、穴１２３ａの辺の長さＢＢよりも上方突出部１３１ａ及び下方突出部１３１ｂの辺の長さＡＡが僅かに短くなっている。
【００３９】
また、穴１２３ａに差し込まれた駒１３１が下方に落下しないように設けられた側方突出部１３１ｃが格子１２３ｂに描かれたグループ境界線１２３ｃに被らないように、側方突出部１３１ｃの突出長ＳＳが調整されている。駒１３１がグループ境界線１２３ｃが描かれた格子１２３ｂに密着するように穴１２３ａに差し込まれた場合が最悪条件が生じる場合であるが、この場合に、側方突出部１３１ｃがグループ境界線１２３ｃに被らなければよい。グループ境界線１２３ｃが格子１２３ｂの中央に描かれていることを想定すると、格子１２３ｂにおいてグループ境界線１２３ｃが描かれていない部分の長さＴＴは、
ＴＴ＝（格子１２３ｂの幅ＢＧの−グループ境界線の幅ＢＬ）／２
になる。突出量ＳＳが長さＴＴ以下であれば良いので、
ＳＳ≦（格子１２３ｂの幅ＢＧの−グループ境界線の幅ＢＬ）／２
の条件が満たされればよい。
【００４０】
また、相互に隣接して穴１２３ａに差し込まれた２つの駒１３１の上方突出部１３１ａ又は下方突出部１３１ｂの隙間ＧＰに指を挿入することができる必要がある。従って、相互に隣接して差し込まれた駒１３１が同一の格子１２３ｂに密着する場合が最悪条件が生じる場合であるが、この場合には、格子１２３ｂの幅ＢＧと隙間ＧＰが一致する。従って、格子１２３ｂの幅ＢＧが指の厚み以上であればよい。但し、指先で掴めれば十分である場合もあるので、厳密にその条件を満たしている必要はない。
【００４１】
次に、具体的な寸法の一例を以下に示す。
【００４２】
上方突出部１３１ａ及び下方突出部１３１ｂの高さ＝８ｍｍ
上方突出部１３１ａ及び下方突出部１３１ｂの角断面の辺の長さ＝１５ｍｍ
側方突出部１３１ｃの高さ＝５ｍｍ
側方突出部１３１ｃの角断面の辺の長さ＝１８ｍｍ
盤１２３の全幅＝２１０ｍｍ
盤１２３の奥行＝２１５ｍｍ
穴の辺の長さ＝１６ｍｍ
置き台の全幅＝１１０ｍｍ
脚部１２３ｄ、１２３ｅ、１２３ｆ、１２３ｆの高さ＝２０ｍｍ
駒１３１を指で掴んだ場合、駒１３１が指から滑落しにくいようにするために、駒１３１の材料としては、シリコン系のエラストマを選択している。上記の寸法でこの材料を用いた場合の駒１３１の重量は、約６グラムであり、ほどよい。
【００４３】
図１６は、盤１２３の左上隅にある穴１２３ａに駒１３１が差し込まれた状態を示す。
【００４４】
図１７は、盤１２３の合計で８１個の穴１２３ａのうちの一部の穴に合計で８１個の駒のうちの一部の駒が差し込まれた状態を示す。
【００４５】
図１８は、盤１２３の或る１つの穴１２３ａに数字が５の駒１３１が利用者により差し込まれる様子、又は、それとは逆に、盤１２３の或る１つの穴１２３ａから数字が５の駒１３１が利用者により抜き出される様子を示す。上述したように、寸法が調整されているので、指を、抜き差ししようとする駒１３１とそれに隣接する駒１３１の間に挿入することができる。
【００４６】
図１９は、駒１３１を左手の親指２０１、人差指２０３及び中指２０５を用いて反転させる様子を示す。矢印Ｒで示すように駒１３１は自転し、反転前の数字の向きと反転後の数字の向きは一致する。また、駒１３１がサイコロ状であるので、駒１３１を３本の指のみで反転することが容易である。
【００４７】
本実施形態によれば、以下の効果が奏される。
【００４８】
縦３×横３の穴のグループの周辺にグループ境界線１２３ｃを設けているので、利用者は、そのグループが縦３×横３のパターンで配置されていることを容易に視認することができる。また、駒１３１の側方突出部１３１ｃが、グループ境界線１２３ｃに被らないように寸法が調整されているので、駒１３１がグループ境界線１２３ｃに隣接した穴１２３ａに挿入されてもグループ境界線１２３ｃが隠れてしまうことがない。
【００４９】
盤１２３がケース１１１の底面に対して浮いているので、盤１２３に設けられた穴１２３ａに駒１３１を挿入しても、駒１３１がケース１１１の底面に突き当たることがない。駒１３１は、側方突出部１３１ｃが格子１２３ｂに支えられることによりそれよりも下方に移動することが防止される。
【００５０】
駒１３１は、サイコロ状であるので、三本前後の指で転がしながら駒の向きを容易に変更することができる。
【００５１】
盤１２３の穴１２３ａに隣接して差し込まれている駒１３１の間に指を挿入する事が可能である。従って、上方から２つの指で挟むようにして駒１３１を掴み、その状態で駒１３１を穴１２３ａに差し込んだり、穴１２３ａから駒１３１を抜き出すことができる。従って、駒１３１を差し込む穴１２３ａを容易に変更することができる。
【００５２】
盤１２３の右方に駒１３１を載置することができる置き台１２５が設けられている。従って、例えば、机などの上に駒１３１を置く必要がなくなるので、駒１３１の紛失を未然に防ぐことができる。
【００５３】
フレーム１２１は、ケース１１１と一体化しているのではなく、ケース１１１から分離している。そして、フレーム１２１をケース１１１に挿入するような構成になっているので、置き台１２５が盤１２３の左方に配置されるように、フレーム１２１をケース１１１に挿入することもできる。従って、右手を使ってナンバープレースをプレイしたり、リハビリをしたりするときばかりではなく、左手を使ってナンバープレースをプレイしたり、リハビリをしたりするときにも便利である。
【００５４】
本実施形態による立体ナンバープレート用セットを用いれば、麻痺側上肢の麻痺度に応じて、下記の様々なレベルのリハビリテーションを実施することができる。
（１）駒１３１を掴む。
（２）駒１３１を掴んで持ち上げる。
（３）駒１３１を掴んで目的とする位置にある穴１２３ａに差し込む。
（４）複数の駒１３１が数字の順に並ぶように複数の駒１３１を複数の穴１２３ａに差し込む。
（５）駒１３１を掴み、空中で表面数字と裏面数字が入れ替わるように駒１３１を自転させる（駒を裏返す）。
（６）穴１２３ａに差し込まれている駒１３１を抜き出して、空中で裏返してから、元の穴１２３ａ又は別の穴１２３ａに差し込む。
（７）第ｉ列に数字がｉの駒を同一色で９個並べる（ｉ＝１、２、３、・・・、９）。その後、各駒を裏返してもよい。
（８）各グループにおいて、左上から順に３個ずつ折り返すようにして１から９の駒を同一色で並べる。これを、９つのグループについて繰り返してもよい。その後、各駒を裏返してもよい。
（９）魔方陣を縦３×横３の領域でプレイする。
（１０）ナンバープレースを縦９×横９の領域でプレイする。
【００５５】
［第２の実施の形態］
上方突出部１３１ａと下方突出部１３１ｂは、正四角柱の形状ではなく、正四角錐台の形状、八角柱の形状などの他の形状を有していても良い。また、上方突出部１３１ａと下方突出部１３１ｂは、側方突出部１３１ｃに隣接する部分で正四角柱の形状を有し、それよりも先端側の部分で他の形状を有していてもよい。
【００５６】
［第３の実施の形態］
駒１３１の素材は、シリコン系エラストマ以外のエラストマであってもよい。また、駒１３１の素材はゴムであってもよい。
【００５７】
［第４の実施の形態］
第１の実施の形態では、一例として、第１の所定の色の素材を利用し、上面数字１４１の色を第１の所定の色とは異なった第２の所定の色にして、下面数字１４３の色を第１の所定の色及び第２の所定の色とは異なった第３の所定の色としているが、素材の色を上方突出部１３１ａと下方突出部１３１ｂとの間で異ならせるようにしてもよい。この場合、上面数字１４１の色と下面数字１４３の色が同じであっても、利用者は、上方突出部１３１ａと下方突出部１３１ｃを識別することができる。
【００５８】
［第５の実施の形態］
第１の実施の形態では、置き台１２５に載置された駒１３１は、ケース１１１の３つの内面（手前側側面、右側側面、奥側側面）及び右側脚部１２３ｇにより四方を囲まれるので、置き台１２５から駒１３１が飛び出るようなことはない。
【００５９】
ところで、利用者が、フレーム１２１をケース１１１から取り出して、ナンバープレースをプレイしたり、リハビリをすることも想定される。そのような場合には、置き台１２５に置かれた駒１３１は、置き台１２５から飛び出てしまう可能性がある。これを防止するために、置き台１２５の前方辺、右方辺及び後方辺の三辺にフレーム１２１と一体化したガード壁を辺から上方に伸びるように設けても良い。ガード壁は、例えば、置き台１２５から外延する部分を持つようにフレーム用のプレートを形成し、それから外延する部分が直立するように、辺付近においてプレートをＬ字型に曲げることにより構築することができる。こうすることにより、置き台１２５に載置された駒１３１は、右側脚部１２３ｇ、前方辺に設けられたガード壁、右方辺に設けられたガード壁及び後方辺に設けられたガード壁により四方が囲まれることになり、従って、置き台１２５から駒１３１が飛び出ることを未然に防止することができるようになる。
【００６０】
［第６の実施の形態］
第１の実施の形態によるフレーム１２１から置き台１２５を削除してもよい。この場合、ケース１１１を削除後のフレーム１２１に合わせて小さくしてもよいし、置き台１２５がある場合と同じ程度の大きさにしてもよい。
【００６１】
［第７の実施の形態］
駒１３１には、上面数字１４１及び下面数字１４３の数値と上面／下面の区別とそれらが付されている位置がわかるような点字が付けられていてもよい。
【００６２】
また、盤１２３には、各穴１２３ａの位置がわかるような点字が付けられていてもよい。
【００６３】
更に、盤１２３には、各グループを識別できるような点字が付けられていてもよい。
【００６４】
［第８の実施の形態］
上方突出部１３１ａ及び下方突出部１３１ｂのそれぞれの端面に記す上面数字１４１、下面数字１４３を両者の区別が付かないような態様で駒１３１に記してもよい。その場合であっても、利用者は両者の区別を必要としないリハビリ又はゲームを行うことができる。
【００６５】
［第９の実施の形態］
上方突出部１３１ａ及び下方突出部１３１ｂのそれぞれの端面に数字を記す代わりに、アルファベット、ひらがな、カタカナ、漢字などの他の文字、記号、絵文字などを記してもよい。このような駒を数字の駒に最初から追加してもよいし、詰め替えセットとしてもよい。また、例えば、アルファベットならば縦４×横７が１つのグループを構成するようにした方が便利であり、ひらがな、カタカナであれば、ナンバープレースも考慮して、盤１２３に縦９×横１０の穴１２３ａを設け、縦５×横５のグループを２つ横に並べるようにしてもよい。
【００６６】
駒の種類によりグループのサイズ、個数が変わることに対応するために、グループ境界線を描いたシートを盤１２３に被せるようにしてもよい。また、このシートが、不要な穴を塞ぐようにしてもよい。例えば、縦９×横１０の穴が設けられた盤１２３を利用するのであれば、ナンバープレースをプレイするときには、左端の９個の穴を塞ぐためのシートであって、第１の実施の形態のグループ境界線が描かれたシートを用い、ひらがな又はカタカナのプレイをするときには、縦５×横１０＋下側１個の穴以外の穴を塞ぐためのシートであって、横に並んだ縦５×横５の２つのグループに対応したグループ境界線が描かれたシートを用いてもよい。
【００６７】
表面に記す数字、アルファベット、ひらがな、カタカナ、漢字と裏面に記す数字、アルファベット、ひらがな、カタカナ、漢字は同一ではなくてもよく、対応が取れていればよい。例えば、表と裏の数字の合計が１０になるように対応を取らせても良いし、表のひらがなと裏のカタカナの読みが同じになるように対応を取らせてもよいし、表の大文字アルファベットと裏の小文字アルファベットの読みが同じになるように対応を取らせてもよいし、表の英語のアルファベットと裏のドイツ語のアルファベットが対応するようにしてもよいし、携帯電話の同じキーに割り当てられている数字と文字を表面と裏面に記すようにしてもよい。
【産業上の利用可能性】
【００６８】
本発明は、ナンバープレースの遊戯に利用することができる。また、魔方陣の遊戯に利用することができる。更に、指を用いたリハビリテーションにも利用することができる。更に、指と頭脳を用いたリハビリテーションにも利用することができる。更に、幼児に対する知育教育のためにも用いることができる。
【符号の説明】
【００６９】
１０１  立体ナンバープレース用セット
１１１  立体ナンバープレース用ケース
１２１  立体ナンバープレース用フレーム
１２３  立体ナンバープレース用盤
１２３ａ  穴
１２３ｂ  格子
１２３ｃ  グループ境界線
１２３ｄ  前側脚部
１２３ｅ  後側脚部
１２３ｆ  左側脚部
１２３ｇ  右側脚部
１２５  置き台
１３１  立体ナンバープレース用駒
１３１ａ  上方突出部
１３１ｂ  下方突出部
１３１ｃ  側方突出部
１３１ｄ  上面
１３１ｅ  下面
１４１  上面数字
１４３  下面数字
２０１  親指
２０３  人差指
２０５  中指
【要約】      （修正有）【課題】脳卒中などを患わってしまった方が楽しく継続的にしかも効率的にリハビリテーションをすることを可能にする立体駒及び立体駒用フレームを提供する。【解決手段】文字、数字、記号又は絵文字が記された頂面を有する上方突出部１３１ａと、文字、数字、記号又は絵文字に対応する文字、数字、記号又は絵文字が記された頂面を有する下方突出部１３１ｂと、上方突出部と下方突出部の間に設けられ、上方突出部及び下方突出部よりも側方に突出する側方突出部１３１ｃと、を備える。【選択図】図９【図１】
0006764554.tif 000002
【図２】
0006764554.tif 000003
【図３】
0006764554.tif 000004
【図４】
0006764554.tif 000005
【図５】
0006764554.tif 000006
【図６】
0006764554.tif 000007
【図７】
0006764554.tif 000008
【図８】
0006764554.tif 000009
【図９】
0006764554.tif 000010
【図１０】
0006764554.tif 000011
【図１１】
0006764554.tif 000012
【図１２】
0006764554.tif 000013
【図１３】
0006764554.tif 000014
【図１４】
0006764554.tif 000015
【図１５】
0006764554.tif 000016
【図１６】
0006764554.tif 000017
【図１７】
0006764554.tif 000018
【図１８】
0006764554.tif 000019
【図１９】
0006764554.tif 000020